(57)【要約】【課題】  エネルギーは人類社会の活力の源泉であり、清浄な環境は人間社会の健全な発展の基盤である。しかし、石油を中心とした現代のエネルギー危機をももたらした。石油資源は偏在と枯渇化されるとして深刻なエネルギーをもたらした。我が国にとって資源を持たないことは、緊急の重要な課題であった。ここに清浄な環境は人間社会の発展の基盤を提供する。【解決手段】  人間社会の基盤は、清浄な環境である。１）に大気中に含まれる気体元素の存在比。２）地殻中に含まれる元素の存在比。３）海水中の元素の存在比を特徴とするものである。  エネルギーは清浄な環境を持続可能でなければならない。今こそ水素エネルギー・酸素エネルギー（光合成）はテーマの重要課題である。現在原子力あるいは太陽エネルギーを主力として考えられている。これらのエネルギー形態は熱エネルギーとその変換による電気エネルギー中心である。水素エネルギーはそのクリーン性とほとんど考えられる水が原料である。廉価であり、安心、安全である。【選択図】なし【特許請求の範囲】
【請求項１】
海洋におけるヘドロの除去・還元方法
【請求項２】
陸上での表土の除去・還元方法
【請求項３】
酸素は非金属元素で、周期表では１６属の位置し、無臭無色の気体で、二原子分子からなり、冷却すると、薄青色の液体で、酸素は常磁性を示す。すなわち、この性質は、酸素原子２個が不対電子となり、常磁性が現れる。
【発明の詳細な説明】
【技術分野】
【０００１】  この発明は、地球上の環境を地球ができた状態に、生物が生活し得るために科学的についての元素の周期表の各属性の化学的特性を利用したものである。
【背景技術】
【０００２】  従来、学問は二つの視点――主観と客観、精神と物体がと、紐のように絡まりあるものを伝統的な文化や知識を隅のほうに押しやって、今日の世界にした。
【発明の開示】
【発明が解決しようとする課題】
【０００３】  この学問は、はるかな昔から私たちに伝わる伝統を、すべての生き物が同じ言葉を共有しているときのことを語る。次のような欠点があった。【０００４】  なぜならば、その声はほとんど聞こえないけれど、私たちは彼らから学べることがあるからだ。【０００５】  彼らは私たちが耳を傾けなければならない大切なメッセージを人間以外の生物の視点を持っている。【０００６】  人類はエネルギーを求めて、幾多の経験をしてきた。そのことは地球環境を汚染して来たことにやっと気づいて、二酸化炭素や、ＮＯｘを制限しようとしている。【０００７】  炭素系エネルギーから環境にやさしいエネルギーは原子力発電として、利用してきた。【０００８】  原子力発電は、本当に環境にやさしいかったのか、そうだったのか、その責任はそのエネルギーに加担した私たちに責任がある。【０００９】  私たちが住んでいる町や故郷では、昔のように魚は取れない、海底はヘドロで海面は酸素不足で赤潮の発生で魚は死滅。【００１０】  その原因は、我々の日常的な生活排水も大いに関係ある、そのヘドロの硫黄分、窒素といった分子が主流である。【００１１】  その結果、水藻は死滅して太陽からの光合成のシステムも破壊された状況にある。【００１２】  一方、陸では原子力発電事故による放射性物質（セシウム）の影響で多くの人々は避難を余儀なくされて、３０年は故郷に帰れなく、やもすれば半減期が３００年を有する物質に、人間は生活できない状態である。【００１３】  人間がデザインしたシステムは、多くを奪うばかりで何も還元せず、森で起きている健全な生態系創造としては似ても似つかないものだ。【００１４】  また、海洋にしても船舶の船底に螺貝や藻が付着する、その防止に使用する塗料にも問題がある。
本発明は、以上のような欠点をなくすためになされたものである。
【問題を解決するための手段】
【００１５】  初期の大気にはオゾンが存在せず、太陽は容赦なく大地に照り付け、痛烈な紫外線が、陸に上がろうとした生物のＤＮＡをことごとく破壊した。
【００１６】  だが、海や内陸の池の中では水が赤外線を遮断して、藻は懸命に進化の歴史の進路を変えようとした。
【００１７】  糸状の藻から、光合成の排出ガスである酸素の分子が湧き出して一つまた一つ大気圏に溜まった。
【００１８】  酸素というこの新しい元素は、成層圏で強い太陽光と反応を起こしてオゾン層を形成し、それがやがて傘のように地球上のすべての生命を守ることになった。
【００１９】  現在われわれの生態系は、初期の生態系とまったく異なる生態系となってしまった。
【００２０】  生態系の違った海底には、（ヘドロの海底には）二酸化鉄の屑鉄を施し、鉄が海水に溶けるとき発生する酸素で還元する。
【００２１】  海底の藻や水草を蘇生して、太陽光の光合成作用で、もとの海へ遷移させる。
【００２２】  陸上での大気は、水素利用したエネルギーで、二酸化炭素、窒素酸化物出さない、燃焼後は水である、エネルギーへの考え方を国を挙げて推奨すること。
【００２３】  原子力発電所は、直ちに廃炉にして、その跡地に水素発電システムとする。その資源は水である。エネルギ−排出後はやはり水である。この水は再生可能となる。
【００２４】  事故後の現在、直ちに放射性物質が降り注ぐみられるところには、藻、コケ、シダ類を栽培して、そこに発生する微生物は外界からウランを濃縮する性質を利用する。ときには、放射性物質を３００倍以上も集めるものもある。
【００２５】  シトロバクター属のバクテリアは、有機リン酸分をグリセリンリン酸エステルとして充分に補給可能である。ウラニルイオンを容易に吸収・濃縮する。
【００２６】  この細菌は最終的にはリン酸ウラニルを結晶化させて細胞外壁を形成するので、１ｇのシトロバクター菌が１日の間にも９ｇものリン酸ウラニル結晶を自分の周囲に形成する。
【００２７】  つまり生態遷移はコケと鉄であった。本発明は、以上の構成よりなる生態系環境を守るのである。
【００２８】  生体の構造に対して水素結合は重大な影響を及ぼしている。体内のタンパク質の構造も、筋肉のような巨大な器官から脳細胞のような微小な部分、さらに細胞内にあるもっとも小さな単位である個々の酵素の立体構造も、みな水素結合のおかげで保持されている。
【００２９】  水素結合は通常の共有結合などに比べるとずっと弱い結合でエネルギーに対する四分の一の程度である。
【００３０】  ある種の水素を含む分子は、その中の１個、もしくはそれ以上の水素原子をＨ＋の形で放出する性質がある。このような分子が水に溶ける、酸としての性質を示す。
【００３１】  Ｈ＋イオンは水分子に付加してオキソニウムイオン（Ｈ３Ｏ＋）を形成するからである。
【００３２】  ｐＨ尺度は、Ｈ３Ｏ＋イオン濃度（正確には活性濃度）の負の常用対数として定義される。
【００３３】  Ｄ２Ｏ，すなわち酸化デューテリウム（デューテリウム）は通常“重水”と呼ばれているが、原子炉中での中性子減速材（モデレータ）として用いられている。核分裂で発生した高速の中性子からエネルギーを奪って、熱中性子として次のウラン原子核に吸収されやすくするのである。
【００３４】  もし生態系に水の代わりにＤ２Ｏを与えたりしたら、この化学的性質はＨ２Ｏとはかなり異なっているので、長時間生きられないのである。
【発明の効果】
【００３５】  海底のヘドロは、酸化鉄を与えることによる酸化作用による活性化を促す。
【００３６】  水辺の藻やコケは、光合成作用で酸素発生装置である。
【００３７】  水素結合は酸素や窒素などを含む分子の間で形成される。これらの分子にある活性水素原子（炭素以外の原子と結合している水素、活性プロトンともいう）が、別の分子の酸素や窒素の原子との間に弱い結合（同じ分子内で水素結合を生じる場合もある）。
【００３８】  生体中もっとも重要な水素結合はやはり窒素と酸素を結ぶものである。
【００３９】  海洋水は地球の気温の変化を穏やかに調整する大きな作用を持っている。液体の水がもし存在しなかったら、生命は誕生しなかったであろう。
【発明を実施するための形態】
【００４０】  ヘドロの海底に河口付近の比較的浅いところに、酸化鉄である鉄くずを蒔いたところに約二週間後に、小さなカニや螺貝の姿、二センチほどの小魚の姿を見る。
【００４１】  瀬戸内海の白石島から牛窓沖の海水のｐＨ濃度を採取して、リトマス紙での結果は赤色から青色に変わり、青色は脱色して灰色。結論はアルカリの海である。
【００４２】  海水中に含まれる１０番までの元素の存在比、以下の元素
塩素、ナトリウム、マグネシウム、硫黄、カルシウム、カリウム、臭素、炭素、ストロンチウム、ホウ素である。
本発明は、元素の周期表の各属種の化学的性質から成り立つ以上の構成である。